(57)【要約】【課題】演出態様の斬新な変化を実現して遊技興趣の向上を図る。【解決手段】表面３１ｆに表示部が設けられると共に裏面３１ｂに第１意匠部が設けられる第１板体３１と、裏面３２ｂに第２意匠部が設けられる第２板体３２とを有する可動役物３０Ａを備える。そして、第１板体３１の表面３１ｆを正面に向けると共に第１板体３１の背後に第２板体３２を折り畳んだ状態として表示部を用いた表示演出を実行する。また、第１板体３１の裏面３１ｂを正面に向けると共に第２板体３２を第１板体３１から展開して第２板体３２の裏面３２ｂを正面に向けて第１および第２意匠部を用いた意匠演出を実行する。【選択図】図７
2018122012.tif 000002
【特許請求の範囲】
【請求項１】
遊技機に用いられる遊技機用演出装置であって、
一の面に識別情報を表示可能な表示部が設けられると共に前記表示部の裏側の面に第１意匠部が設けられた第１部材と、
一の面に第２意匠部が設けられた第２部材と、
前記第１部材を第１回転軸の軸回りに回転駆動する駆動手段と、
を有する可動役物を備え、
前記第１部材と前記第２部材は、互いの端部同士が前記第１回転軸に平行な第２回転軸に沿って軸支されて前記第２回転軸の軸回りに相対回転可能であり、
前記可動役物は、前記駆動手段の駆動によって、前記表示部が正面側を向くと共に前記第２意匠部が前記表示部の背後に位置するように前記第２部材が前記第１部材の背後に折り畳まれた第１状態と、前記第１意匠部と前記第２意匠部とが正面側を向くように前記第１部材が１８０度回転されると共に前記第２部材が前記第１部材に対して展開された第２状態とに変化可能である、
ことを特徴とする遊技機用演出装置。
【請求項２】
請求項１記載の遊技機用演出装置であって、
前記第２部材は、前記第２回転軸と平行に外側に延びる突起を有し、
前記可動役物は、前記突起に係合されるガイド孔またはガイド溝が形成されたガイド部材を有し、
前記ガイド部材は、前記突起が前記ガイド孔または前記ガイド溝に沿って移動することにより、前記第２部材を案内する、
遊技機用演出装置。
【請求項３】
請求項１または２記載の遊技機用演出装置であって、
前記可動役物として、一対の可動役物を有する、
遊技機用演出装置。
【請求項４】
請求項３記載の遊技機用演出装置であって、
前記一対の可動役物を互いに近接する方向と離間する方向とに移動させる移動装置を備える、
遊技機用演出装置。
【請求項５】
請求項１ないし４いずれか１項に記載の遊技機用演出装置であって、
前記遊技機の盤面に対して直交する直交軸回りに前記可動役物を回転させる回転装置を備える、
遊技機用演出装置。
【発明の詳細な説明】
【技術分野】
【０００１】
本発明は、遊技機に用いられる遊技機用演出装置に関する。
【背景技術】
【０００２】
従来、この種の遊技機用演出装置としては、複数の部材を有し、各部材が所定の位置に移動することによって一の装飾体を形成する可動装飾体ユニットを備えるものが提案されている（例えば、特許文献１参照）。
【先行技術文献】
【特許文献】
【０００３】
【特許文献１】特開２０１５−８８２４号公報
【発明の概要】
【発明が解決しようとする課題】
【０００４】
しかしながら、上述した遊技機用演出装置では、複数の部材の移動によって一の装飾体を出現させたり退避させたりするものに過ぎず、演出態様の変化に乏しく、遊技興趣を向上させるには不十分である。
【０００５】
本発明の遊技機用演出装置は、演出態様を斬新に変化させて遊技興趣の向上を図ることを主目的とする。
【課題を解決するための手段】
【０００６】
本発明の遊技機用演出装置は、上述の主目的を達成するために以下の手段を採った。
【０００７】
本発明の遊技機用演出装置は、
遊技機に用いられる遊技機用演出装置であって、
一の面に識別情報を表示可能な表示部が設けられると共に前記表示部の裏側の面に第１意匠部が設けられた第１部材と、
一の面に第２意匠部が設けられた第２部材と、
前記第１部材を第１回転軸の軸回りに回転駆動する駆動手段と、
を有する可動役物を備え、
前記第１部材と前記第２部材は、互いの端部同士が前記第１回転軸に平行な第２回転軸に沿って軸支されて前記第２回転軸の軸回りに相対回転可能であり、
前記可動役物は、前記駆動手段の駆動によって、前記表示部が正面側を向くと共に前記第２意匠部が前記表示部の背後に位置するように前記第２部材が前記第１部材の背後に折り畳まれた第１状態と、前記第１意匠部と前記第２意匠部とが正面側を向くように前記第１部材が１８０度回転されると共に前記第２部材が前記第１部材に対して展開された第２状態とに変化可能である、
ことを要旨とする。
【０００８】
この本発明の遊技機用演出装置が備える可動役物は、第２部材を第１部材の背後に折り畳んで第１部材の表示部を正面側に向けることで、表示部を用いた表示演出を実行することができる。また、第１部材を１８０度回転させて第２部材を第１部材に対して展開させることで、第１部材の第１意匠部と第２部材の第２意匠部とを正面側に向けて、第１意匠部と第２意匠部とを用いた意匠演出に変化させることができる。これにより、第１および第２意匠部全体の視認領域を表示部よりも拡大させることができる。そして、第１部材の回転と第２部材の連動によって第１および第２意匠部を出現させることで、遊技者に驚きとインパクトを与えることができる。この結果、演出態様の斬新な変化により遊技興趣の向上を図ることができる。
【０００９】
こうした本発明の遊技機用演出装置において、前記第２部材は、前記第２回転軸と平行に外側に延びる突起を有し、前記可動役物は、前記突起に係合されるガイド孔またはガイド溝が形成されたガイド部材を有し、前記ガイド部材は、前記突起が前記ガイド孔または前記ガイド溝に沿って移動することにより、前記第２部材を案内するものとしてもよい。こうすれば、第１部材の回転に第２部材をスムーズに連動させることができる。
【００１０】
また、本発明の遊技機用演出装置において、前記可動役物として、一対の可動役物を有するものとしてもよい。この態様の本発明の遊技機用演出装置において、前記一対の可動役物を互いに近接する方向と離間する方向とに移動させる移動装置を備えるものとしてもよい。こうすれば、可動役物の動作パターンを複雑にすることができ、遊技興趣をさらに向上させることができる。
【００１１】
さらに、本発明の遊技機用演出装置において、前記遊技機の盤面に対して直交する直交軸回りに前記可動役物を回転させる回転装置を備えるものとしてもよい。こうすれば、可動役物の動作パターンを複雑にすることができ、遊技興趣を一層向上させることができる。
【図面の簡単な説明】
【００１２】
【図１】本発明の一実施例としての遊技機用演出装置２０を有する遊技機１の構成の概略を示す構成図である。
【図２】スライド装置５０の構成の概略を示す構成図である。
【図３】回転装置７０の構成の概略を示す構成図である。
【図４】可動役物３０Ａの外観を示す外観斜視図である。
【図５】折り畳み状態（表示演出時）の可動役物３０Ａを示す上面図，正面図および背面図である。
【図６】展開状態（意匠演出時）の可動役物３０Ａを示す上面図，正面図および背面図である。
【図７】可動役物３０Ａの状態変化を示す説明図である。
【図８】第１板体３１の表面３１ｆおよび裏面３１ｂと、第２板体３２の裏面３２ｂとを示す説明図である。
【図９】表示演出の様子を示す説明図である。
【図１０】表示演出および意匠演出の様子を示す説明図である。
【図１１】第２実施例の第１板体３１の表面３１ｆおよび裏面３１ｂと、第２板体３２の裏面３２ｂとを示す説明図である。
【図１２】第２実施例の第１意匠演出および第２意匠演出の様子を示す説明図である。
【図１３】第３実施例の可動役物１３０Ａを示す上面図である。
【図１４】展開状態における第３実施例の第１板体３１および第２板体３２の正面図および背面図である。
【図１５】第３実施例の第１意匠演出および第２意匠演出の様子を示す説明図である。
【図１６】第３実施例の第１意匠演出および第３意匠演出の様子を示す説明図である。
【発明を実施するための形態】
【００１３】
次に、本発明を実施するための形態を実施例を用いて説明する。
【実施例】
【００１４】
［第１実施例］
図１は本発明の一実施例としての遊技機用演出装置２０を有する遊技機１の構成の概略を示す構成図であり、図２はスライド装置５０の構成の概略を示す構成図であり、図３は回転装置７０の構成の概略を示す構成図である。
【００１５】
遊技機１は、遊技球を用いて遊技を行なうパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン８と、を備える。
【００１６】
遊技盤３は、遊技領域の右下部に配置された図柄表示装置１１と、遊技領域の中央に配置され各種演出画像を表示する画像表示装置としての液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、実施例の遊技機用演出装置２０と、が設けられている。
【００１７】
遊技機１では、第１始動口１３や第２始動口１４へ遊技球が入球されたことに基づいて図柄表示装置１１にて特別図柄の変動表示を行ない、変動表示時間が終了すると、変動表示中の特別図柄を停止表示する。このとき、特別図柄が所定の大当り図柄で停止表示されると、大入賞口１５を開放する大当り遊技を実行する。また、遊技機１では、特別図柄の変動表示中に、液晶表示装置１２にて演出図柄を変動表示させる図柄変動演出が行われる。図柄変動演出では、演出図柄の変動表示を伴ってリーチ演出や予告演出、ボタン演出などが行なわれ、これらの演出によって特別図柄が大当り図柄で停止表示される可能性を遊技者に示唆する。実施例の遊技機用演出装置２０は、例えば、上述したリーチ演出や予告演出、ボタン演出の一部として、一対の可動役物３０Ａ，３０Ｂを液晶表示装置１２の前方に移動させて後述する表示演出や意匠演出を実行する。
【００１８】
遊技機用演出装置２０は、盤面に沿うように配置される板状の一対の可動役物３０Ａ，３０Ｂと、スライダ５１Ａ，５１Ｂによって一対の可動役物３０Ａ，３０Ｂを盤面に沿って互いに近接する方向と離間する方向とにスライド可能なスライド装置５０（図２参照）と、ターンテーブル７１によって一対の可動役物３０Ａ，３０Ｂをスライド装置５０と共に盤面に直交する軸回りに回転可能な回転装置７０（図３参照）と、を備える。
【００１９】
図４は可動役物３０Ａの外観を示す外観斜視図であり、図５は折り畳み状態（表示演出時）の可動役物３０Ａを示す上面図，正面図および背面図であり、図６は展開状態（意匠演出時）の可動役物３０Ａを示す上面図，正面図および背面図である。なお、図５（ａ），図６（ａ）が上面図であり、図５（ｂ），図６（ｂ）が正面図であり、図５（ｃ），図６（ｃ）が背面図である。可動役物３０Ａは、図示するように、第１板体３１と、第１板体３１と連動する第２板体３２と、ベース３３，３４と、第１板体３１を回転駆動する駆動装置４０と、を備える。なお、可動役物３０Ｂは、可動役物３０Ａと互いに向かい合う面に対して左右対称に構成されている。なお、可動役物３０Ｂの基本的な構成は可動役物３０Ａと同様であるから、その詳細な説明については省略する。
【００２０】
第１板体３１および第２板体３２は、矩形平板状に形成されている。第１板体３１の短手側の両端部には、支持部材３５，３６が取り付けられている。支持部材３５，３６は、第１板体３１の短手方向における略中央を通り第１板体３１の長手方向に沿って外側に突出する第１軸部３５ａ，３６ａと、第１板体３１および第２板体３２をその長手側の端縁同士（図４中、第１板体３１の右短縁と第２板体３２の左端縁）を支点に相対回転可能に連結する第２軸部３５ｂ，３６ｂとを有する。第１軸部３５ａ，３６ａは、それぞれベース３３，３４によって回転自在に支持される。
【００２１】
また、第２板体３２は、本実施例では、長手方向の幅が第１板体３１と略同じで短手方向の幅が第１板体３１よりも短くなるように形成されている。なお、第２板体３２は、短手方向の幅も第１板体３１と略同じになるように形成されてもよい。また、第２板体３２の短手側の両端部には、第２軸部３５ｂ，３６ｂから短手方向に所定の間隔をおいて、長手方向における外側に突出するガイドピン３７，３８が設けられている。
【００２２】
ベース３３には、上面視（図５（ａ），図６（ａ）参照）において、逆Ｓ字状に延び、第２板体３２のガイドピン３７が係合されるガイド孔３３ａが形成されている。なお、ガイド孔３３ａは、ガイドピン３７が貫通しないガイド溝（凹溝）として形成されてもよい。また、ベース３４には、同様に、第２板体３２のガイドピン３８が係合されるガイド孔３４ａ（又はガイド溝）が形成されている。
【００２３】
駆動装置４０は、ベース３４側に設けられたモータ４１と、モータ４１の駆動ギヤ４２に噛合されると共に第１軸部３６ａに固定された伝達ギヤ４３と、を備え、モータ４１によって伝達ギヤ４３を回転させることにより、第１板体３１を、第１軸部３５ａ，３６ａの軸回り、即ち短手方向の略中央を通り長手方向に沿った軸回りに回転する。これにより、駆動装置４０によって第１板体３１を１８０度回転させることで、第１板体３１の表面３１ｆを正面に向けたり、第１板体３１の裏面３１ｂを正面に向けたりすることができる。なお、駆動装置４０は、伝達ギヤ４３に設けられた被検知片４４と、被検知片４４を検知可能な図示しない検知センサとを備えており、検知センサが被検知片４４を検知することで、第１板体３１の表面３１ｆが正面を向いている状態（初期状態）を検知する。
【００２４】
図７は、遊技機用演出装置２０Ａの状態変化の様子を示す説明図である。図示するように、第１板体３１は、初期状態において、表面３１ｆが正面を向いた状態となっている（図７（ａ）参照）。一方、第２板体３２は、初期状態において、第２軸部３５ｂ，３６ｂを支点とした第１板体３１との開き角が略０度とされ、第１板体３１の背後に折り畳まれた状態となっている。この状態から、モータ４１を所定回転方向に回転駆動すると、第１板体３１は、その短手方向の略中央を通りその長手方向に沿った第１軸部３５ａ，３６ａの軸回りに回転する。一方、第２板体３２は、第２軸部３５ｂ，３６ｂが第１軸部３５ａ，３６ａを中心に周方向に移動すると共にガイドピン３７，３８がガイド孔３３ａ，３４ａに沿って逆Ｓ字状に移動する。これにより、第２板体３２は、第２軸部３５ｂ，３６ｂを支点とした第１板体３１との開き角が徐々に大きくなっていく（図７（ｂ）〜（ｄ）参照）。そして、第１板体３１は、初期状態から１８０度回転すると、裏面３１ｂが正面を向いた状態となる。一方、第２板体３２は、第１板体３１との開き角が１８０度となり、裏面３２ｂが正面を向いた状態となる（図７（ｅ）参照）。なお、第１板体３１および第２板体３２を初期状態に戻すときには、モータ４１を逆回転させて第１板体３１を１８０度逆回転させればよい。
【００２５】
図８は第１板体３１の表面３１ｆおよび裏面３１ｂと、第２板体３２の裏面３２ｂとを示す説明図である。なお、図８には、一対の可動役物３０Ａ，３０Ｂにおける各第１板体３１および第２板体３２を示した。図示するように、第１板体３１は、表面３１ｆには液晶表示装置からなる表示部Ｎが設けられ、裏面３１ｂには文字や図形、その他の装飾などが施された第１意匠部Ｍ１が設けられる。一方、第２板体３２は、裏面３２ｂには文字や図形、その他の装飾などが施された第２意匠部Ｍ２が設けられる。本実施例では、第１意匠部Ｍ１と第２意匠部Ｍ２は、両者の組み合わせによって１つの意匠が構成され、第１板体３１および第２板体３２の長手方向が上下方向にあるときに９０度反時計回りに傾いた姿勢となるように形成されている。なお、第１板体３１や第２板体３２は、その裏面３１ｂ，３２ｂにＬＥＤなどの発光体を備え、第１意匠部Ｍ１や第２意匠部Ｍ２を用いた演出（意匠演出）を実行する際に発光体を所定のパターンで発光させるものとしてもよい。
【００２６】
スライド装置５０は、図２に示すように、可動役物３０Ａ，３０Ｂがそれぞれ固定された一対のスライダ５１Ａ，５１Ｂと、一対のスライダ５１Ａ，５１Ｂを駆動するモータ６１（６１Ａ，６１Ｂ）を含むスライダ駆動装置６０と、を備える。なお、スライダ５１Ａ，５１Ｂは、共通の構成要素からなり、互いに連動するように構成される。また、モータ６１（６１Ａ，６１Ｂ）は、ターンテーブル７１に設けられたモータ支持部６１ａ，６１ｂに支持される。
【００２７】
スライダ５１Ａ，５１Ｂは、それぞれ、スライド方向に平行に延在する長尺の第１および第２柱部５２，５３を有し、対応する可動役物３０Ａ，３０Ｂが第１および第２柱部５２，５３の間に架け渡されている。
【００２８】
第１および第２柱部５２，５３は、それぞれスライド方向に沿った長穴状のガイド孔５２ａ，５３ａが形成されている。ガイド孔５２ａ，５３ａには、それぞれターンテーブル７１の対応するピン支持部５４ａ，５５ａ（図３参照）に支持されたガイドピン５４，５５が係合される。また、第２柱部５３の裏面には後方に突出するガイドピン（図示せず）を支持するピン支持部５６が設けられる。このガイドピンは、ターンテーブル７１に上記ガイド孔５２ａ，５３ａと平行に延びる長穴状のガイド孔５６ａに係合される。これにより、スライダ５１Ａ，５１Ｂは、各ガイドピンが対応するガイド孔と係合することで３箇所でガイドされ、傾くことなく左右方向にスライド可能とされる。
【００２９】
スライダ５１Ａ，５１Ｂの第１柱部５２は、外側（第２柱部５３とは反対側）の側面に第１ラックギヤ部５２ｂが形成され、内側（第２柱部５３側）の側面に第２ラックギヤ部５２ｃが形成されている。また、スライダ５１Ａ，５１Ｂの第２柱部５３は、外側（第１柱部５２とは反対側）の側面に第３ラックギヤ部５３ｂが形成されている。
【００３０】
スライダ５１Ａの第１柱部５２の第１ラックギヤ部５２ｂは、モータ６１（６１Ａ）の図示しない駆動ギヤと噛合している。スライダ５１Ａの第１柱部５２の第２ラックギヤ部５２ｃは、ピニオンギヤ６２（６２Ａ）と噛合しており、このピニオンギヤ６２Ａは、スライダ５１Ｂの第２柱部５２の第３ラックギヤ部５３ｂと噛合している。なお、ピニオンギヤ６２Ａは、ターンテーブル７１に設けられたギヤ支持部６２ａに回転自在に支持される。これにより、モータ６１Ａの駆動により駆動ギヤを回転させることで、駆動ギヤの回転駆動力をスライダ５１Ａの第１ラックギヤ部５２ｂの直動駆動力に変換して、スライダ５１Ａを左右方向にスライドさせることができる。そして、スライダ５１Ａが左右方向にスライドすると、スライダ５１Ａの第２ラックギヤ部５２ｃとピニオンギヤ６２Ａを介して噛合するスライダ５１Ｂの第３ラックギヤ部５３ｂに左右反対方向の直動駆動力が伝達される。
【００３１】
スライダ５１Ｂの第１柱部５２の第１ラックギヤ部５２ｂは、モータ６１（６１Ｂ）の図示しない駆動ギヤと噛合している。スライダ５１Ｂの第１柱部５２の第２ラックギヤ部５２ｃは、ピニオンギヤ６２（６２Ｂ）と噛合しており、このピニオンギヤ６２Ｂは、スライダ５１Ａの第２柱部５３の第３ラックギヤ部５３ｂと噛合している。なお、ピニオンギヤ６２Ｂは、ターンテーブル７１に設けられたギヤ支持部６２ｂに回転自在に支持される。これにより、モータ６１Ｂの駆動により駆動ギヤを回転させて、駆動ギヤの回転駆動力をスライダ５１Ｂの第１ラックギヤ部５２ｂの直動駆動力に変換することで、スライダ５１Ｂを左右方向にスライドさせることができる。そして、スライダ５１Ｂが左右方向にスライドすると、スライダ５１Ｂの第２ラックギヤ部５２ｃとピニオンギヤ６２Ｂを介して噛合するスライダ５１Ａの第３ラックギヤ部５３ｂに左右反対方向の直動駆動力が伝達される。
【００３２】
したがって、スライド装置５０は、モータ６１（６１Ａ，６１Ｂ）を同期回転させることにより、スライダ５１Ａ，５１Ｂにそれぞれ左右反対方向の直動駆動力を伝達することができ、当該スライダ５１Ａ，５１Ｂを左右反対方向にスライドすることができる。即ち、スライド装置４０は、可動役物３０Ａ，３０Ｂを互いに近接する方向と離間する方向とにスライドすることが可能となっている。
【００３３】
回転装置７０は、図３に示すように、スライド装置５０を介して可動役物３０Ａ，３０Ｂが前面に取り付けられたターンテーブル７１と、ターンテーブル７１を回転駆動するテーブル駆動装置８０と、を備える。
【００３４】
ターンテーブル７１は、円盤形状のテーブルである。ターンテーブル７１の中央部には、略矩形状の開口７２が形成されており、開口７２を介して液晶表示装置１２が視認可能となっている。また、ターンテーブル７１の外周には、当該ターンテーブル７１の回転軸を中心とする円弧状の円弧ギヤ７３が形成されている。
【００３５】
テーブル駆動装置８０は、モータ８１と、モータ８１の駆動ギヤ８２に複数の中間ギヤ８３を介して噛合すると共に円弧ギヤ７３と噛合する伝達ギヤ８４と、を備える。このテーブル駆動装置８０は、モータ８１によって伝達ギヤ８４を駆動することにより、外周の一部に円弧ギヤ７３を有するターンテーブル７１を回転させることができる。本実施例では、円弧ギヤ７３はターンテーブル７１の外周のうち約１２０度の範囲で形成されており、ターンテーブル７１は、可動役物３０Ａ，３０Ｂの長手方向が上下方向（縦向き）となる位置と、可動役物３０Ａ，３０Ｂが時計回りに９０度回転してその長手方向が左右方向（横向き）となる位置とに回転可能とされる。なお、テーブル駆動装置８０は、ターンテーブル７１の外周から外側に突出する被検知片７５ａ，７５ｂと、被検知片７５ａを検知可能な検知センサ７６ａと、被検知片７５ｂを検知可能な検知センサ７６ｂとを備えており、検知センサ７６ａが被検知片７５ａを検知することでターンテーブル７１が可動役物３０Ａ，３０Ｂの縦向きの回転位置にあることを検知し、検知センサ７６ｂが被検知片７５ｂを検知することでターンテーブル７１が可動役物３０Ａ，３０Ｂの横向きの回転位置にあることを検知する。
【００３６】
次に、こうして構成された実施例の遊技機用演出装置２０の動作について説明する。図９は表示演出の様子を示す説明図であり、図１０は意匠演出の様子を示す説明図である。表示演出は、図９に示すように、スライド装置５０によって可動役物３０Ａ，３０Ｂを互いに近接させた後（図９（ａ）参照）、各第１板体３１の表面３１ｆを正面に向けた状態で表面３１ｆに設けられる表示部Ｎ（液晶表示装置）にて所定の演出画像を表示させることにより行なわれる（図９（ｂ），（ｃ）参照）。なお、表示演出を実行するときには、第２板体３２は、第１板体３１の背後に折り畳まれ、遊技者側から視認不能な状態とされる。一方、意匠演出は、図の例では、表示演出の実行後に発展する発展演出として実行される（図１０（ａ）〜（ｃ）参照）。この意匠演出は、回転装置７０によって可動役物３０Ａ，３０Ｂを盤面に直交する軸回りに時計回りに９０度回転させた後（図１０（ｄ）参照）、第１板体３１を回転させて（図１０（ｅ）参照）、第１板体３１の裏面３１ｂを正面に向けると共に第２板体３２を第１板体３１の背後に折り畳まれた状態から展開して当該第２板体３２の裏面３２ｂを正面に向けることにより行なわれる（図１０（ｆ）参照）。これにより、意匠部（第１および第２意匠部Ｍ１，Ｍ２）の視認領域（演出領域）を表示部Ｎよりも拡大させることができ、第１板体３１の回転と第２板体３２の連動によって意匠部（第１および第２意匠部Ｍ１，Ｍ２）を出現させることで、遊技者に驚きとインパクトを与えることができる。なお、こうした表示演出や意匠演出は、可動役物３０Ａ，３０Ｂの背後に配置される液晶表示装置１２による画像表示と組み合わせて実行されるものとしてもよい。
【００３７】
以上説明した第１実施例の遊技機用演出装置２０は、表面３１ｆに表示部Ｎが設けられると共に裏面３１ｂに第１意匠部Ｍ１が設けられる第１板体３１と、裏面３２ｂに第２意匠部Ｍ２が設けられる第２板体３２とを有する可動役物３０Ａ，３０Ｂを備える。そして、第１板体３１の表面３１ｆを正面に向けると共に第１板体３１の背後に第２板体３２を折り畳んだ状態として表示部Ｎを用いた表示演出を実行する。また、第１板体３１の裏面３１ｂを正面に向けると共に第２板体３２を第１板体３１から展開して第２板体３２の裏面３２ｂを正面に向けて第１および第２意匠部Ｍ１，Ｍ２を用いた意匠演出を実行する。これにより、第１および第２意匠部Ｍ１，Ｍ２の視認領域を表示部Ｎよりも拡大させることができる。そして、第１板体３１の回転と第２板体３２の連動によって第１および第２意匠部Ｍ１，Ｍ２を出現させることで、遊技者に驚きとインパクトを与えることができる。この結果、演出態様の斬新な変化により遊技興趣の向上を図ることができる。
【００３８】
また、第１実施例の遊技機用演出装置２０は、一対の可動役物３０Ａ，３０Ｂを互いに近接する方向と離間する方向とにスライドするスライド装置５０を備えるから、可動役物３０Ａ，３０Ｂの動作パターンを複雑にすることができ、遊技興趣をさらに向上させることができる。
【００３９】
さらに、第１実施例の遊技機用演出装置２０は、一対の可動役物３０Ａ，３０Ｂを盤面に対して直交する軸回りに回転する回転装置７０を備えるから、可動役物３０Ａ，３０Ｂの動作パターンをさらに複雑にすることができ、遊技興趣を一層向上させることができる。
【００４０】
第１実施例では、第１意匠部Ｍ１と第２意匠部Ｍ２は、複数の意匠部の組み合わせによって１つの意匠を構成するものとしたが、それぞれ別々の意匠を構成するものとしてもよい。
【００４１】
第１実施例では、可動役物３０Ａ，３０Ｂの第１板体３１の表面３１ｆに表示部Ｎを設けると共に裏面３１ｂに第１意匠部Ｍ１を設け、第２板体３２の裏面３２ｂに第２意匠部Ｍ２を設けるものとした。しかしながら、第１板体３１の表面３１ｆに意匠部を設けると共に裏面３１ｂに液晶表示装置などの第１表示部を設け、第２板体３２の裏面３２ｂに液晶表示装置などの第２表示部を設けるものとしてもよい。この場合、第１板体３１の表面３１ｆを正面に向けることにより意匠部を用いた意匠演出を実行することができ、第１板体３１を１８０度回転させてその裏面３１ｂを正面に向けると共に第２板体３２を第１板体３１から展開してその裏面３２ｂを正面に向けることにより、第１および第２表示部を用いた表示演出を実行することができる。
【００４２】
このように、遊技機用演出装置は、遊技機に用いられる遊技機用演出装置であって、一の面に意匠部が設けられると共に前記意匠部の裏側の面に識別情報を表示可能な第１表示部が設けられた第１部材と、一の面に識別情報を表示可能な第２表示部が設けられた第２部材と、前記第１部材を第１回転軸の軸回りに回転駆動する駆動手段と、を有する可動役物を備え、前記第１部材と前記第２部材は、互いの端部同士が前記第１回転軸に平行な第２回転軸に沿って軸支されて前記第２回転軸の軸回りに相対回転可能であり、前記可動役物は、前記駆動手段の駆動によって、前記意匠部が正面側を向くと共に前記第２表示部が前記意匠部の背後に位置するように前記第２部材が前記第１部材の背後に折り畳まれた第１状態と、前記第１表示部と前記第２表示部とが正面側を向くように前記第１部材が１８０度回転されると共に前記第２部材が前記第１部材に対して展開された第２状態とに変化可能であるものとしてもよい。
【００４３】
第１実施例では、可動役物として、スライド装置５０によって互いに近接する方向と離間する方向とにスライド可能な一対の可動役物３０Ａ，３０Ｂを備えるものとした。しかし、スライド装置を省略して一対の可動役物がスライド不能に固定されていてもよい。この場合、可動役物３０Ａ，３０Ｂがそれぞれ各第１板体３１（第１軸部３６ａ）を回転するためのモータ４１を備えるものとしたが、各第１板体３１を１つのモータで駆動するものとしてもよい。
【００４４】
第１実施例では、可動役物として、一対（２つ）の可動役物３０Ａ，３０Ｂを備えるものとしたが、可動役物３０Ａ，３０Ｂは、２つに限られず、１つであってもよいし、３つ以上有していてもよい。
【００４５】
第１実施例では、回転装置７０によって可動役物３０Ａ，３０Ｂを盤面に直交する軸回りに回転可能としたが、回転装置７０を省略して可動役物３０Ａ，３０Ｂを回転不能としてもよい。
【００４６】
［第２実施例］
第２実施例の遊技機用演出装置では、第１板体３１の表面３１ｆおよび裏面３１ｂにそれぞれ異なる意匠部が設けられたものである。この第２実施例の遊技機用演出装置は、その他の構成は、第１実施例の遊技機用演出装置２０と同一であり、回転装置７０によって第１板体３１および第２板体３２（可動役物３０Ａ，３０Ｂ）を盤面に対して直交する軸回りに回転することができる。なお、スライド装置５０については省略してもよい。
【００４７】
図１１は、第２実施例の第１板体３１の表面３１ｆおよび裏面３１ｂと、第２板体３２の裏面３２ｂとを示す説明図である。図示するように、第２実施例では、第１板体３１は、表面３１ｆには文字や図形、その他の装飾などが施された第１意匠部Ｍ１が設けられ、裏面３１ｂには第１意匠部Ｍ１とは異なる文字や図形、その他の装飾などが施された第２意匠部Ｍ２が設けられる。一方、第２板体３２は、裏面３２ｂに文字や図形、その他の装飾などが施された第３意匠部Ｍ３が設けられる。第２実施例では、第１意匠部Ｍ１は、第１板体３１の長手方向が上下方向にあるときに傾きのない状態となり、第２意匠部Ｍ２と第３意匠部Ｍ３は、第１板体３１および第２板体３２の長手方向が上下方向にあるときに９０度反時計回りに傾いた状態となるように形成されている。また、第２意匠部Ｍ２と第３意匠部Ｍ３は、複数の意匠部の組み合わせによって１つの意匠が構成される。なお、第１板体３１や第２板体３２は、その表面３１ｆや裏面３１ｂ，３２ｂにＬＥＤなどの発光体を備え、第１意匠部Ｍ１を用いた演出（第１意匠演出）や第２意匠部Ｍ２および第３意匠部Ｍ３を用いた演出（第２意匠演出）を実行する際に発光体を所定のパターンで発光させるものとしてもよい。この場合、第１意匠演出と第２意匠演出とで発光パターンを異ならせるものとしてもよい。
【００４８】
図１２は、第２実施例の第１意匠演出および第２意匠演出を示す説明図である。図示するように、第１意匠演出は、スライド装置５０によって可動役物３０Ａ，３０Ｂを互いに近接させて（図１２（ａ）参照）、各第１板体３１の表面３１ｆに設けられた第１意匠部Ｍ１を正面に向けることにより行なわれる（図１２（ｂ）参照）。なお、第１意匠演出を実行するときには、第２板体３２は、第１板体３１の背後に折り畳まれ、遊技者側から視認不能な状態とされる。一方、第２意匠演出は、図の例では、第１意匠演出から発展する発展演出として実行され、回転装置７０によって盤面に直交する軸回りに可動役物３０Ａ，３０Ｂを時計回りに９０度回転させた後（図１２（ｃ）参照）、第１板体３１を回転させて（図１２（ｄ）参照）、第１板体３１の裏面３１ｂに設けられた第２意匠部Ｍ２を正面に向けると共に第２板体３２を第１板体３１の背後に折り畳まれた状態から展開して当該第２板体３２の裏面３２ｂに設けられた第３意匠部Ｍ３を正面に向けることにより行なわれる（図１２（ｅ）参照）。これにより、第２および第３意匠部Ｍ２，Ｍ３の視認領域（演出領域）を第１意匠部Ｍ１よりも拡大させることができる。そして、第１板体３１の回転と第２板体３２の連動によって第２および第３意匠部Ｍ２，Ｍ３を出現させることで、遊技者に驚きとインパクトを与えることができる。この結果、演出態様の斬新な変化により遊技興趣の向上を図ることができる。
【００４９】
このように、遊技機用演出装置は、遊技機に用いられる遊技機用演出装置であって、一の面に第１意匠部が設けられると共に前記第１意匠部の裏側の面に第２意匠部が設けられた第１部材と、一の面に第３意匠部が設けられた第２部材と、前記第１部材を第１回転軸の軸回りに回転駆動する駆動手段と、を有する可動役物と、前記遊技機の盤面に対して直交する直交軸回りに前記可動役物を回転させる回転装置と、を備え、前記第１部材と前記第２部材は、互いの端部同士が前記第１回転軸に平行な第２回転軸に沿って軸支されて前記第２回転軸の軸回りに相対回転可能であり、前記可動役物は、前記駆動手段の駆動によって、前記第１意匠部が正面側を向くと共に前記第３意匠部が前記第１意匠部の背後に位置するように前記第２部材が前記第１部材の背後に折り畳まれた第１状態と、前記第２意匠部と前記第３意匠部とが正面側を向くように前記第１部材が１８０度回転されると共に前記第２部材が前記第１部材に対して展開された第２状態とに変化可能であるものとしてもよい。
【００５０】
［第３実施例］
第３実施例の遊技機用演出装置は、第１板体３１の表面３１ｆおよび裏面３１ｂにそれぞれ異なる意匠部が設けられると共に第２板体３２の表面３２ｆおよび裏面３２ｂにもそれぞれ異なる意匠部が設けられたものである。なお、スライド装置５０や回転装置７０については省略してもよい。
【００５１】
第３実施例の遊技機用演出装置の可動役物１３０Ａおよびこれと対となる可動役物は、第１板体３１と第２板体３２とで短手方向の幅が略同じになるように形成されており、第１実施例の可動役物３０Ａ，３０Ｂのベース３３，３４とは異なるベースが採用される。図１３は、第３実施例の可動役物１３０Ａの上面図である。なお、図中、第３実施例の可動役物１３０Ａの各構成のうち第１実施例の可動役物３０Ａと対応する構成については下二桁の番号を同一とした。第３実施例の可動役物１３０Ａのベース１３３は、図示するように、ガイドピン１３７が係合されるガイド溝（凹溝）１３３ａを有する。第１軸部１３５ａ（第１板体３１）はガイドピン１３７が同図に示す位置（初期位置）にある状態で時計回りに１８０度回転可能となっており、ガイド溝１３３ａは、第１軸部１３５ａが時計回りに回転すると、第１実施例のガイド孔３３ａと同様の逆Ｓ字状の軌跡に沿ってガイドピン１３７の移動をガイドする。また、第１軸部１３５ａ（第１板体３１）はガイドピン１３７が初期位置にある状態で反時計回りにも１８０度回転可能となっており、ガイド溝１３３ａは、第１軸部１３５ａが反時計回りに回転すると、第１軸部１２５ａの軸心を中心とした中心角が１８０度の円弧状の軌跡に沿ってガイドピン１３７の移動をガイドする。なお、図示しないが、可動役物１３０Ａの他方のベースにも、ガイドピンが係合される同様のガイド溝が形成される。また、可動役物１３０Ａと対となる可動役物についても同様に構成される。
【００５２】
図１４は展開状態における第３実施例の第１板体３１および第２板体３２の正面図および背面図である。なお、第１板体３１と第２板体３２は、展開状態においては、それぞれ、裏面３１ｂ、３２ｂが正面を向き（図１４（ａ）参照）、表面３１ｆ，３２ｆが背面を向く状態となる（図１４（ｂ）参照）。図示するように、第１板体３１は、表面３１ｆに第１意匠部Ｍ１が設けられると共に裏面３１ｂに第１意匠部Ｍ１とは異なる第２意匠部Ｍ２が設けられ、第２板体３２は、裏面３２ｂに第３意匠部Ｍ３が設けられると共に表面３２ｆに第３意匠部Ｍ３とは異なる第４意匠部Ｍ４が設けられる。第３実施例では、第１意匠部Ｍ１と第４意匠部Ｍ４は、別々の意匠が構成され、第２意匠部Ｍ２と第３意匠部Ｍ３は、両者の組み合わせによって１つの意匠が構成される。勿論、第２意匠部Ｍ２と第３意匠部Ｍ３とで別々の意匠を構成するものとしてもよい。
【００５３】
図１５は第３実施例の第１意匠演出および第２意匠演出の様子を示す説明図であり、図１６は第３実施例の第１意匠演出および第３意匠演出の様子を示す説明図である。なお、第３実施例の第１意匠演出は、第２実施例の第１意匠演出と同じものである。図１５に示すように、第２意匠演出は、初期位置から第１板体３１を上面視において時計回りに１８０度回転させて、第１板体３１の裏面３１ｂに設けられた第２意匠部Ｍ２を正面に向けると共に第２板体３２を展開して当該第２板体３２の裏面３２ｂに設けられた第３意匠部Ｍ３を正面に向けることにより行なわれる。これにより、第２および第３意匠部Ｍ２，Ｍ３の視認領域（演出領域）を第１意匠部Ｍ１よりも拡大させることができる。一方、図１６に示すように、第３意匠演出は、初期位置から第１板体３１を上面視において反時計回りに１８０度回転させて、第２板体３２が第１板体３１に折り畳まれた状態のままで、当該第２板体３２の表面３２ｆを正面に向けることにより行なわれる。この第３意匠演出においては、第１板体３１は、第２板体３２の背後に位置して、遊技者から視認不能な状態とされる。このように、第３実施例では、第１板体３１を３６０度回転可能となるようベース１３３にガイド溝１３３ａを形成することで、３つのパターンの意匠演出を実行することが可能となる。
【００５４】
このように、遊技機用演出装置は、遊技機に用いられる遊技機用演出装置であって、一の面に第１意匠部が設けられると共に前記第１意匠部の裏側の面に第２意匠部が設けられた第１部材と、一の面に第３意匠部が設けられると共に前記第３意匠部の裏側の面に第４意匠部が設けられた第２部材と、前記第１部材を第１回転軸の軸回りに回転駆動する駆動手段と、を有する可動役物と、を備え、前記第１部材と前記第２部材は、互いの端部同士が前記第１回転軸に平行な第２回転軸に沿って軸支されて前記第２回転軸の軸回りに相対回転可能であり、前記可動役物は、前記駆動手段の駆動によって、前記第１意匠部が正面側を向くと共に前記第３および第４意匠部が前記第１意匠部の背後に位置するように前記第２部材が前記第１部材の背後に折り畳まれた第１状態と、前記第２意匠部と前記第３意匠部とが正面側を向くように前記第１部材が前記第１状態から１８０度回転されると共に前記第２部材が前記第１部材に対して展開された第２状態と、前記第４意匠部が正面側を向くと共に前記第１および第２意匠部が前記第４意匠部の背後に位置するように前記第１部材が前記第１状態から前記第２状態とは逆回転方向に１８０度回転されると共に前記第２部材が前記第１部材の前方に折り畳まれた第３状態とに変化可能であるものとしてもよい。
【００５５】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００５６】
実施例の主要な要素と課題を解決するための手段の欄に記載した発明の主要な要素との対応関係について説明する。実施例では、第１板体３１が「第１部材」に相当し、第２板体３２が「第２部材」に相当し、駆動装置４０が「駆動手段」に相当し、第１軸部３５ａ，３６ａが「第１回転軸」に相当し、第２軸部３５ｂ，３６ｂが「第２回転軸」に相当し、可動役物３０Ａ，３０Ｂが「可動役物」に相当する。また、ガイドピン３７，３８が「突起」に相当し、ガイド孔（ガイド溝）３３ａ，３４ａが「ガイド孔またはガイド溝」に相当し、ベース３３，３４が「ガイド部材」に相当する。また、スライド装置５０が「移動装置」に相当する。また、回転装置７０が「回転装置」に相当する。
【００５７】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００５８】
本発明は、遊技機用演出装置の製造産業に利用可能である。
【符号の説明】
【００５９】
１  遊技機、２  本体、３  遊技盤、４  スピーカ、５  上受け皿、６  下受け皿、７  発射ハンドル、８  演出ボタン、１１  図柄表示装置、１２  液晶表示装置、１３  第１始動口、１４  第２始動口、１５  大入賞口、１６  アウト口、２０  遊技機用演出装置、３０Ａ，３０Ｂ，１３０Ａ  可動役物、３１  第１板体、３１ｆ  表面、３１ｂ  裏面、３２  第２板体、３２ｂ  裏面、３３，３４，１３３  ベース、３３ａ，３４ａ  ガイド孔、３５，３６  支持部材、３５ａ，３６ａ，１３５ａ  第１軸部、３５ｂ，３６ｂ  第２軸部、３７，３８，１３７  ガイドピン、４０  駆動装置、４１  モータ、４２  駆動ギヤ、４３  伝達ギヤ、４４  被検知片、５０  スライド装置、５１Ａ，５１Ｂ  スライダ、５２  第１柱部、５３  第２柱部、５２ａ，５３ａ，５６ａ  ガイド孔、５２ｂ  第１ラックギヤ部、５２ｃ  第２ラックギヤ部、５３ｂ  第３ラックギヤ部、５４，５５  ガイドピン、５４ａ，５５ａ，５６  ピン支持部、６０  スライダ駆動装置、６１，６１Ａ，６１Ｂ  モータ、６１ａ，６１ｂ  モータ支持部、６２，６２Ａ，６２Ｂ  ピニオンギヤ、６２ａ，６２ｂ  ギヤ支持部、７０  回転装置、７１  ターンテーブル、７２  開口、７３  円弧ギヤ、７５ａ，７５ｂ  被検知片、７６ａ，７６ａ  検知センサ、８０  テーブル駆動装置、８１  モータ、８２  駆動ギヤ、８３  中間ギヤ、８４  伝達ギヤ、１３３ａ  ガイド溝、Ｎ  表示部、Ｍ１  第１意匠部、Ｍ２  第２意匠部、Ｍ３  第３意匠部。
【図１】
2018122012.tif 000003
【図２】
2018122012.tif 000004
【図３】
2018122012.tif 000005
【図４】
2018122012.tif 000006
【図５】
2018122012.tif 000007
【図６】
2018122012.tif 000008
【図７】
2018122012.tif 000009
【図８】
2018122012.tif 000010
【図９】
2018122012.tif 000011
【図１０】
2018122012.tif 000012
【図１１】
2018122012.tif 000013
【図１２】
2018122012.tif 000014
【図１３】
2018122012.tif 000015
【図１４】
2018122012.tif 000016
【図１５】
2018122012.tif 000017
【図１６】
2018122012.tif 000018